(57)【要約】【課題】室内の快適性が損なわれるおそれを低減することができる床置き型の空調室内機の提供。【解決手段】空調室内機は、吹出口近傍に上下方向に並んで配置される複数の水平フラップと、第１フラップ群３２に属する複数の第１水平フラップ３１ａの向きを調整可能な第１フラップ駆動機構と、第２水平フラップ群３３に属する複数の第２水平フラップ３１ｂの向きを調整可能な第２フラップ駆動機構と、第１フラップ群３２及び第２水平フラップ群３３の開閉状態を調整可能な制御部と、を備えている。第２水平フラップ群３３は、第１フラップ群３２よりも下方に位置している。さらに、制御部は、第１フラップ群３２を閉状態にし、第２水平フラップ群３３を開状態にするスポット下吹き運転モードを有する。【選択図】図１０
2014040975.tif 000002
【特許請求の範囲】
【請求項１】
吹出口（２２ａ）が形成されているケーシング（２０）と、
前記吹出口近傍に上下方向に並んで配置されており、前記吹出口から吹き出される調和空気の上下方向の風向きを変更可能な複数のフラップ（３１）と、
複数の前記フラップのうちの第１フラップ群（３２）に属する複数の第１フラップ（３１ａ）の向きを調整可能な第１フラップ駆動機構（３４）と、
複数の前記フラップのうち前記第１フラップよりも下方に位置する第２フラップ群（３３）に属する複数の第２フラップ（３１ｂ）の向きを調整可能な第２フラップ駆動機構（３７）と、
前記第１フラップ駆動機構及び前記第２フラップ駆動機構を制御することで、前記第１フラップ群及び前記第２フラップ群の開閉状態を調整可能な制御部（６０）と、
を備え、
前記制御部は、前記第１フラップ群を閉状態にし、前記第２フラップ群を開状態にする第１運転モードを有する、
床置き型空調室内機（１０）。
【請求項２】
前記第１運転モードが実行される場合には、
前記第１フラップは、前記吹出口の正面側に向かって斜め下方に延びており、
前記第１フラップ同士の隙間から前記第１フラップの延びる方向に空気が流れる、
請求項１に記載の床置き型空調室内機。
【請求項３】
前記制御部は、前記第１フラップ群を開状態にし、前記第２フラップ群を閉状態にする第２運転モードを更に有し、
前記第２運転モードが実行される場合には、
前記第２フラップは、前記吹出口の正面側に向かって斜め上方に延びており、
前記第２フラップ同士の隙間から前記第２フラップの延びる方向に空気が流れる、
請求項１又は２に記載の床置き型空調室内機。
【請求項４】
前記第１フラップ及び前記第２フラップは、前記吹出口の開口面に対して垂直な面となす角度が９０°未満の所定角度となるように、可動範囲が規制されており、
前記第１フラップ群が閉状態である場合には、前記第１フラップは、前記吹出口の開口面に垂直な面と、前記所定角度−１０°以上であり前記所定角度以下の閉鎖角度を形成する、
請求項１に記載の床置き型空調室内機。
【請求項５】
前記制御部は、
前記第１フラップ群が開状態である場合には、前記第１フラップを上下にスイングさせるスイング動作を実行可能であり、
前記第２フラップ群が開状態である場合には、前記第２フラップを上下にスイングさせるスイング動作を実行可能である、
請求項１に記載の床置き型空調室内機。
【請求項６】
前記吹出口は、上下方向に長い縦長形状である、
請求項１に記載の床置き型空調室内機。
【請求項７】
前記制御部は、暖房運転時に、前記第１運転モードを実行する、
請求項１に記載の床置き型空調室内機。
【請求項８】
前記制御部は、冷房運転時に、前記第２運転モードを実行する、
請求項３に記載の床置き型空調室内機。
【請求項９】
前記制御部は、冷房運転時には、前記第１運転モード及び前記第２運転モードの実行を禁止する、
請求項３に記載の床置き型空調室内機。
【請求項１０】
前記第１フラップ及び前記第２フラップは、前記吹出口の開口面に対して垂直な面となす角度が９０°未満の所定角度となるように、可動範囲が規制されており、
前記第２フラップ群が閉状態である場合には、前記第２フラップは、前記吹出口の開口面に垂直な面と、前記所定角度−１０°以上であり前記所定角度以下の閉鎖角度を形成する、
請求項３に記載の床置き型空調室内機。
【発明の詳細な説明】
【技術分野】
【０００１】
本発明は、床置き型の空調室内機に関する。
【背景技術】
【０００２】
従来より、吹出口近傍に上下方向に並んで配置されており、吹出口から吹き出される調和空気の上下方向の風向きを変更可能な複数のフラップを備える空調室内機がある。
【０００３】
例えば、特許文献１（特開２００２−３１０４９４号公報）に開示されている空気調和機では、吹出口近傍に上下方向に並ぶように８枚の水平ルーバ（フラップに相当）が設けられており、上側４枚の水平ルーバからなる第１ルーバ群と、下側４枚の水平ルーバからなる第２ルーバ群とが、個別に回動可能に構成されている。そして、この空気調和機では、第２ルーバ群に属する水平ルーバで吹出口の下部を閉じ、第１ルーバ群に属する水平ルーバで吹出口の上部を開けて、吹出口の上半分側から調和空気を吹き出させることができる。
【発明の概要】
【発明が解決しようとする課題】
【０００４】
ところで、調和空気として暖気が吹出口から吹き出される暖房運転時には、吹出口から吹き出された暖気は、室内の上部に向かって流れる。したがって、特許文献１に開示されている空気調和機のように、吹出口の上半分側から調和空気が吹き出されるように各フラップ群が個別に回動されても、暖房運転時には暖気が室内の下部に届きにくいため、室内の快適性が損なわれるおそれがある。
【０００５】
そこで、本発明の課題は、室内の快適性が損なわれるおそれを低減することができる床置き型の空調室内機を提供することにある。
【課題を解決するための手段】
【０００６】
本発明の床置き型の空調室内機は、ケーシングと、複数のフラップと、第１フラップ駆動機構と、第２フラップ駆動機構と、制御部と、を備えている。ケーシングには、吹出口が形成されている。複数のフラップは、吹出口近傍に、上下方向に並んで配置されている。また、複数のフラップは、吹出口から吹き出される調和空気の上下方向の風向きを変更可能である。第１フラップ駆動機構は、複数の第１フラップの向きを調整可能である。第１フラップとは、複数のフラップのうちの第１フラップ群に属するフラップのことである。第２フラップ駆動機構は、複数の第２フラップの向きを調整可能である。第２フラップとは、複数のフラップのうちの第２フラップ群に属するフラップのことである。第２フラップ群は、第１フラップ群よりも下方に位置している。制御部は、第１フラップ駆動機構及び第２フラップ駆動機構を制御することで、第１フラップ群及び第２フラップ群の開閉状態を調整可能である。さらに、制御部は、第１フラップ群を閉状態にし、第２フラップ群を開状態にする第１運転モードを有する。
【０００７】
本発明の床置き型の空調室内機では、第１運転モードが実行されることで、吹出口の下部から主に調和空気を吹き出させることができるため、吹出口から調和空気として暖気が吹き出されても、暖気が室内の下方に届きやすくなる。
【０００８】
これによって、室内の快適性が損なわれるおそれを低減することができる。
【発明の効果】
【０００９】
本発明の床置き型の空調室内機では、室内の快適性が損なわれるおそれを低減することができる。
【図面の簡単な説明】
【００１０】
【図１】床置き型の空調室内機の外観の正面図。
【図２】床置き型の空調室内機の正面図であって、空調室内機の構成を示す概略図。
【図３】水平フラップの構成を示す正面図。
【図４】正面吹き運転モード実行時における床置き型の空調室内機上部の断面図。
【図５】水平フラップ部の構成を示す側面図。
【図６】床置き型の空調室内機の備える制御部の制御ブロック図。
【図７】正面吹き運転モードが実行されているときの第１水平フラップ及び第２水平フラップを示す側面図。
【図８】下吹き運転モードが実行されているときの第１水平フラップ及び第２水平フラップを示す側面図。
【図９】上吹き運転モードが実行されているときの第１水平フラップ及び第２水平フラップを示す側面図。
【図１０】スポット下吹き運転モードが実行されているときの第１水平フラップ及び第２水平フラップを示す側面図。
【図１１】スポット上吹き運転モードが実行されているときの第１水平フラップ及び第２水平フラップを示す側面図。
【発明を実施するための形態】
【００１１】
（１）空調室内機の全体構成
図１は、本発明の一実施形態に係る床置き型の空調室内機１０の外観の正面図である。この空調室内機１０は、室内の床上に設置される空調室内機であり、冷暖房等の室内の空気調和を行う。空調室内機１０は、室外に配置される室外機（図示せず）と接続されており、室外機に収容される図示しない圧縮機や室外熱交換器との間で冷媒回路を構成する。この空調室内機１０は、主として、ケーシング２０、室内熱交換器１１、ファン１２及び制御部６０を備えている。
【００１２】
ケーシング２０は、室内熱交換器１１及びファン１２等を収容する、鉛直方向に長い箱状の部材である。また、ケーシング２０の上半分には、ケーシング２０内に取り込まれ室内熱交換器１１を通過した後の空気（調和空気）を吹き出すための吹出口２２が設けられている。さらに、ケーシング２０の下半分には、室内の空気をケーシング２０内へと吸い込むための吸込口２３が設けられている。
【００１３】
室内熱交換器１１は、図２に示すように、空調室内機１０の上半分に配置されており、ケーシング２０内に取り込まれた空気との間で熱交換を行う。
【００１４】
ファン１２は、室内の空気を吸込口２３からケーシング２０内に吸い込んだ後、室内熱交換器１１に通し、吹出口２２へと送る。ファン１２は、空調室内機１０の正面と平行な面内で回転するように配置された一台のシロッコファンであり、図２に示すように、上方の室内熱交換器１１に向けて空気を吹き出すように設けられている。
【００１５】
また、吹出口２２近傍には、図３に示すように、吹出口２２から吹き出される空気の上下方向の風向きを変更可能な複数の水平フラップ３１，４１が、上下方向に並んで配置されている。さらに、水平フラップ３１，４１の前方には、吹出口２２から吹き出される空気の左右方向の風向きを変更可能な垂直フラップ５１が配置されている（図１参照）。
【００１６】
なお、空調室内機１０の具体的な構成は上記のものに限定されるものではなく、吹出口２２近傍に、複数の水平フラップ３１，４１が上下方向に並んで配置されていれば、他の機器構成であってもよい。
【００１７】
（２）詳細構成
（２−１）ケーシング
ケーシング２０は、図１、図２及び図４に示すように、上部を構成する天面部２０ａと、後部（背面部）を構成する後面部２０ｂと、側部を構成する側面部２０ｃａ，２０ｃｂと、下部を構成する下面部と、前部（正面部）を構成する前面部２１と、を有している。
【００１８】
前面部２１は、空調室内機１０の上下方向（鉛直方向）に概ね全体に渡って設けられている。また、図１に示すように、前面部２１の上部中央には、表示部９０が設けられている。表示部９０には、室内温度、室外温度及び運転設定等の情報が表示される。そして、吹出口２２は、前面部２１に設けられている。また、本実施形態では、吹出口２２は、２つ設けられており、前面部２１の左右端部近傍に位置している。そこで、以下より、空調室内機１０の正面視において、右側に位置する吹出口を右側吹出口２２ａといい、左側に位置する吹出口を左側吹出口２２ｂという。
【００１９】
右側吹出口２２ａ及び左側吹出口２２ｂは、前面部２１の両端に沿って設けられた上下方向に長い縦長形状を呈する長方形の開口である。また、右側吹出口２２ａ及び左側吹出口２２ｂは、左右方向に距離を隔てて並んで配置されている。
【００２０】
さらに、吸込口２３は、側面部２０ｃａ，２０ｃｂにそれぞれ設けられている。また、吸込口２３には、空調室内機１０の正面視において、右側に位置する側面部２０ｃａに設けられる右側吸込口２３ａと、左側に位置する側面部２０ｃｂに設けられる左側吸込口２３ｂと、が含まれる。
【００２１】
右側吸込口２３ａ及び左側吸込口２３ｂは、側面部２０ｃａ，２０ｃｂの端部に沿って設けられた上下方向に長い縦長形状を呈する長方形の開口である。右側吸込口２３ａ及び左側吸込口２３ｂは、前後方向でいえば、ファン１２と前面部２１との間に位置している。さらに、右側吸込口２３ａ及び左側吸込口２３ｂ近傍には、フィルタが設けられている。
【００２２】
なお、本実施形態では、吹出口２２及び吸込口２３は、上下方向に長い縦長形状に形成されているが、吹出口２２及び吸込口２３の形状はこれに限定されない。また、本実施形態では、吸込口２３が、側面部２０ｃａ，２０ｃｂに設けられているが、これに限定されず、例えば、前面部２１の両端に沿って左右に並んで設けられてもよく、側面部２０ｃａ，２０ｃｂ及び前面部２１の両方に設けられていてもよい。さらに、吸込口２３が前面部２１に設けられている場合には、意匠性を考慮して、吸込口２３を自動で開閉可能なパネルが設けられていてもよい。
【００２３】
（２−２）水平フラップ部
水平フラップ部３０，４０は、右側吹出口２２ａ近傍、及び、左側吹出口２２ｂ近傍にそれぞれ設けられており、右側吹出口２２ａ及び左側吹出口２２ｂから吹き出される空気を案内して上下方向に吹き分ける。以下より、説明の便宜上、右側吹出口２２ａ近傍に設けられている水平フラップ部を右側水平フラップ部３０といい、左側吹出口２２ｂ近傍に設けられている水平フラップ部を左側水平フラップ部４０という。また、右側水平フラップ部３０と左側水平フラップ部４０とは、左右対称の構成であるため、以下では、右側水平フラップ部３０についてのみ説明し、左側水平フラップ部４０の構成については、右側水平フラップ部３０の３０番台の符号を、４０番台の符号に置き換えるとともに説明を省略する。
【００２４】
右側水平フラップ部３０は、複数の水平フラップ３１と、第１フラップ駆動機構３４と、第２フラップ駆動機構３７と、を有している。
【００２５】
複数の水平フラップ３１は、右側吹出口２２ａ近傍に上下方向に並んで配置されており、右側吹出口２２ａから吹き出す空気を上下方向に吹き分けるように案内する。また、本実施形態では、複数の水平フラップ３１は、第１フラップ群３２と第２フラップ群３３との２つのグループに分割されている。また、１つのグループは、複数枚（本実施形態では、５枚）の水平フラップ３１を有している。さらに、第１フラップ群３２と第２フラップ群３３とは上下方向に並んでおり、第１フラップ群３２の下方に第２フラップ群３３が位置している（図３及び図４参照）。なお、水平フラップ３１は、薄い板状の部材である。
【００２６】
第１フラップ駆動機構３４は、第１フラップ群３２に属する複数の水平フラップである第１水平フラップ３１ａの向きを調整可能な機構である。第１フラップ駆動機構３４は、第１連結部材３５ａと、第１揺動部材３５ｂと、第１固定部材３５ｃと、駆動源としての第１水平フラップ駆動モータ３６と、を有する。第１連結部材３５ａは、図４及び図５に示すように、複数の第１水平フラップ３１ａの後側端部を、所定の間隔をあけて連結する上下方向に長い部材である。第１連結部材３５ａは、上下方向に移動することにより、第１水平フラップ３１ａの後側端部を一体的に上下方向に移動させる。また、第１連結部材３５ａは、第１揺動部材３５ｂと連結されてリンク機構を構成している。第１揺動部材３５ｂは、一端が第１連結部材３５ａの下端部と連結しており、他端が第１水平フラップ駆動モータ３６のモータ軸と連結している。第１固定部材３５ｃは、第１水平フラップ３１ａの前側端部を摺動可能に支持している。
【００２７】
第２フラップ駆動機構３７は、第２フラップ群３３に属する複数の水平フラップである第２水平フラップ３１ｂの向きを調整可能な機構である。第２フラップ駆動機構３７は、第２連結部材３８ａと、第２揺動部材３８ｂと、第２固定部材３８ｃと、駆動源としての第２水平フラップ駆動モータ３９と、を有する。第２連結部材３８ａは、図４及び図５に示すように、複数の第２水平フラップ３１ｂの後側端部を、所定の間隔をあけて連結する上下方向に長い部材である。第２連結部材３８ａは、上下方向に移動することにより、第２水平フラップ３１ｂの後側端部を一体的に上下方向に移動させる。また、第２連結部材３８ａは、第２揺動部材３８ｂと連結されてリンク機構を構成している。第２揺動部材３８ｂは、一端が第２連結部材３８ａの下端部と連結しており、他端が第２水平フラップ駆動モータ３９のモータ軸と連結している。第２固定部材３８ｃは、第２水平フラップ３１ｂの前側端部を摺動可能に支持している。
【００２８】
水平フラップ部３０，４０では、水平フラップ３１，４１の前側端部が第１固定部材３５ｃ，４５ｃ又は第２固定部材３８ｃ，４８ｃによって摺動可能に固定されており、水平フラップ３１，４１の後側端部が第１連結部材３５ａ，４５ａ又は第２連結部材３８ａ，４８ａによって移動自在に連結されているため、例えば、第１連結部材３５ａ，４５ａが上方へ移動すると水平フラップ３１，４１のうちの第１水平フラップ３１ａ，４１ａの先端が下方に向き、第２連結部材３８ａ，４８ａが下方へ移動すると水平フラップ３１，４１のうちの第２水平フラップ３１ｂ，４１ｂの先端が上方に向く。したがって、第１水平フラップ駆動モータ３６，４６が回転し、第１連結部材３５ａ，４５ａが上下方向に移動されることによって、第１水平フラップ３１ａ，４１ａによる空気の案内方向を変更することができる。また、第２水平フラップ駆動モータ３９，４９が回転し、第２連結部材３８ａ，４８ａが上下方向に移動されることによって、第２水平フラップ３１ｂ，４１ｂによる空気の案内方向を変更することができる。なお、水平フラップ３１，４１の動作については、後に詳述する。
【００２９】
また、本実施形態では、第１揺動部材３５ｂ，４５ｂ及び第２揺動部材３８ｂ，４８ｂの可動範囲を制限するため、ケーシング２０には、ストッパー１５ａ，１５ｂが設けられている。ストッパー１５ａ，１５ｂは、水平フラップ３１，４１と右側吹出口２２ａ及び左側吹出口２２ｂの開口面に対して垂直な面（本実施形態では床と水平な面、以下、基準面Ｆという）とのなす角度が、９０°未満の所定の角度である可動角度（所定角度）となるように設けられており、本実施形態では、可動角度が６０°となるようにストッパー１５ａ，１５ｂが設けられている。すなわち、第１揺動部材３５ｂ，４５ｂ及び第２揺動部材３８ｂ，４８ｂがストッパー１５ａ，１５ｂに当接することで第１連結部材３５ａ，４５ａ及び第２連結部材３８ａ，４８ａの上下方向の移動が規制され、第１水平フラップ３１ａ，４１ａ及び第２水平フラップ３１ｂ，４１ｂの可動範囲が規制されることになる。例えば、第１揺動部材３５ｂ及び第２揺動部材３８ｂがストッパー１５ａに当接することで、第１連結部材３５ａ及び第２連結部材３８ａの上方向の移動が規制されるため、水平フラップ３１が右側吹出口２２ａの前側（正面側）に向かって斜め下方に延びている状態となる際の水平フラップ３１の限界位置となる。また、第１揺動部材４５ｂ及び第２揺動部材４８ｂがストッパー１５ｂに当接することで、第１連結部材４５ａ及び第２連結部材４８ａの下方向の移動が規制されるため、水平フラップ４１が左側吹出口２２ｂの前側（正面側）に向かって斜め上方に延びている状態となる際の水平フラップ４１の限界位置となる。さらに、第１揺動部材３５ｂ，４５ｂ及び第２揺動部材３８ｂ，４８ｂの構造当たり位置（例えば、第１揺動部材３５ｂ，４５ｂ及び第２揺動部材３８ｂ，４８ｂがストッパー１５ａに当接する位置）を、第１水平フラップ駆動モータ３６，４６及び第２水平フラップ駆動モータ３９，４９の原点とすることができる。
【００３０】
（２−３）垂直フラップ部
垂直フラップ部５０は、図１に示すように、右側吹出口２２ａ近傍、及び、左側吹出口２２ｂ近傍にそれぞれ設けられており、右側吹出口２２ａ及び左側吹出口２２ｂから吹き出される空気を案内して左右方向に吹き分ける。また、垂直フラップ部５０は、垂直フラップ５１と、垂直フラップ駆動モータ５２ａ，５２ｂと、を有する。
【００３１】
垂直フラップ５１には、右側吹出口２２ａを開閉する右側垂直フラップ５１ａと、左側吹出口２２ｂを開閉する左側垂直フラップ５１ｂと、が含まれる。右側垂直フラップ５１ａは、右側吹出口２２ａの開口縁部と概ね同一形状であり、上下方向に長い板状の部材である。左側垂直フラップ５１ｂは、左側吹出口２２ｂの開口縁部と概ね同一形状であり、上下方向に長い板状の部材である。また、右側垂直フラップ５１ａには、裏面から突出する軸支部５３ａが設けられており、上下方向に延びる右側垂直フラップ５１ａの回転軸５４ａを支持している（図４参照）。左側垂直フラップ５１ｂにも、裏面から突出する軸支部（図示せず）が設けられており、上下方向に延びる左側垂直フラップ５１ｂの回転軸５４ｂを支持している。
【００３２】
垂直フラップ駆動モータ５２ａは、回転軸５４ａを中心に右側垂直フラップ５１ａを回転させる。垂直フラップ駆動モータ５２ｂは、回転軸５４ｂを中心に左側垂直フラップ５１ｂを回転させる。これにより、右側垂直フラップ５１ａ及び左側垂直フラップ５１ｂの配置角度が変更されて、右側垂直フラップ５１ａ及び左側垂直フラップ５１ｂの向きが変更され、右側吹出口２２ａ及び左側吹出口２２ｂから吹き出される空気の風向きが変更される。
【００３３】
なお、本実施形態では、右側垂直フラップ５１ａは、空調室内機１０の上面視において、右回りに回転して右側吹出口２２ａを開き、左側垂直フラップ５１ｂは、空調室内機１０の上面視において、左回りに回転して左側吹出口２２ｂを開くものとする。
【００３４】
（２−４）制御部
制御部６０は、図６に示すように、ファン１２、垂直フラップ駆動モータ５２ａ，５２ｂ、第１水平フラップ駆動モータ３６，４６及び第２水平フラップ駆動モータ３９，４９等と接続されており、ファン１２、垂直フラップ駆動モータ５２ａ，５２ｂ、第１水平フラップ駆動モータ３６，４６及び第２水平フラップ駆動モータ３９，４９等を制御する。
【００３５】
また、制御部６０は、第１水平フラップ駆動モータ３６，４６及び第２水平フラップ駆動モータ３９，４９の回転方向及び回転角度を制御することで、第１フラップ群３２，４２及び第２フラップ群３３，４３の開閉状態を調整する。より詳しくは、制御部６０は、右側水平フラップ部３０の第１水平フラップ駆動モータ３６、第２水平フラップ駆動モータ３９、及び、左側水平フラップ部４０の第１水平フラップ駆動モータ４６、第２水平フラップ駆動モータ４９をそれぞれ個別に制御可能であり、右側水平フラップ部３０の第１水平フラップ３１ａ、第２水平フラップ３１ｂ、及び、左側水平フラップ部４０の第１水平フラップ４１ａ、第２水平フラップ４１ｂを、別々の態様に制御することができる。したがって、制御部６０は、第１水平フラップ３１ａ，４１ａと第２水平フラップ３１ｂ，４１ｂとを上下対称に移動させるだけでなく、上下非対称に移動させることができる。
【００３６】
ここで、第１フラップ群３２，４２が開状態となるときの第１水平フラップ３１ａ，４１ａの姿勢には、正面吹き姿勢、下吹き姿勢、上吹き姿勢が含まれる。第１水平フラップ３１ａ，４１ａが正面吹き姿勢を採る場合、第１水平フラップ３１ａ，４１ａは右側吹出口２２ａ又は左側吹出口２２ｂの前側（正面側）に向かって概ね水平に延びている状態となり、第１水平フラップ３１ａ，４１ａの前端及び後端が概ね水平に位置する（図７参照）。第１水平フラップ３１ａ，４１ａが下吹き姿勢を採る場合、第１水平フラップ３１ａ，４１ａは右側吹出口２２ａ又は左側吹出口２２ｂの前側（正面側）に向かって斜め下方に延びている状態となり、第１水平フラップ３１ａ，４１ａの前端が後端よりも下方に位置する（図８参照）。なお、第１水平フラップ３１ａ，４１ａが下吹き姿勢を採る場合には、図８に示すように、基準面Ｆと第１水平フラップ３１ａ，４１ａとが、所定の角度である開放角度Ａ１（例えば、２５°）を形成する。第１水平フラップ３１ａ，４１ａが上吹き姿勢を採る場合、第１水平フラップ３１ａ，４１ａは右側吹出口２２ａ又は左側吹出口２２ｂの前側（正面側）に向かって斜め上方に延びている状態となり、第１水平フラップ３１ａ，４１ａの前端が後端よりも上方に位置する（図９参照）。なお、第１水平フラップ３１ａ，４１ａが上吹き姿勢を採る場合には、図９に示すように、基準面Ｆと第１水平フラップ３１ａ，４１ａとが、所定の角度である開放角度Ａ１（例えば、２５°）を形成する。
【００３７】
また、第１フラップ群３２，４２が閉状態となる場合、第１水平フラップ３１ａ，４１ａは、閉姿勢を採る。第１水平フラップ３１ａ，４１ａが閉姿勢を採る場合、第１水平フラップ３１ａ，４１ａは右側吹出口２２ａ又は左側吹出口２２ｂの前側（正面側）に向かって斜め下方に延びている状態となり、第１水平フラップ３１ａ，４１ａの前端が後端よりも下方に位置する（図１０参照）。なお、第１水平フラップ３１ａ，４１ａが閉姿勢を採る場合には、図１０に示すように、基準面Ｆと第１水平フラップ３１ａ，４１ａとが、開放角度Ａ１よりも大きい閉鎖角度Ａ２を形成する。また、第１水平フラップ３１ａ，４１ａが閉姿勢を採るときの閉鎖角度Ａ２は、基準面Ｆと第１水平フラップ３１ａ，４１ａとで形成できる物理的限界の角度である可動角度以下であり、かつ、可動角度−１０°以上の範囲内の角度であればよく、本実施形態では、閉鎖角度Ａ２を可動角度と等しい６０°としている。さらに、第１水平フラップ３１ａ，４１ａが閉姿勢を採る場合には、所定の間隔をあけて上下に対向する第１水平フラップ３１ａ同士の間、及び、第１水平フラップ４１ａ同士の間には、図１０に示すように、隙間が形成される。
【００３８】
第２フラップ群３３，４３が開状態となるときの第２水平フラップ３１ｂ，４１ｂの姿勢には、第１フラップ群３２，４２が開状態となるときの第１水平フラップ３１ａ，４１ａの姿勢と同様に、図７に示す正面吹き姿勢、図８に示す下吹き姿勢、図９に示す上吹き姿勢が含まれる。なお、第２水平フラップ３１ｂ，４１ｂが、正面吹き姿勢、下吹き姿勢又は上吹き姿勢を採るときの第２水平フラップ３１ｂ，４１ｂの態様は、図７から図９に示すように、第１水平フラップ３１ａ，４１ａが正面吹き姿勢、下吹き姿勢又は上吹き姿勢を採るときの態様と同様である。
【００３９】
一方で、第２フラップ群３３，４３が閉状態となる場合、第２水平フラップ３１ｂ，４１ｂは、閉姿勢を採る。第２水平フラップ３１ｂ，４１ｂが閉姿勢を採る場合、第２水平フラップ３１ｂ，４１ｂは右側吹出口２２ａ又は左側吹出口２２ｂの前側（正面側）に向かって斜め上方に延びている状態となり、第２水平フラップ３１ｂ，４１ｂの前端が後端よりも上方に位置する（図１１参照）。なお、第２水平フラップ３１ｂ，４１ｂが閉姿勢を採る場合には、図１１に示すように、基準面Ｆと第２水平フラップ３１ｂ，４１ｂとが、開放角度Ａ１よりも大きい閉鎖角度Ａ２を形成する。また、第２水平フラップ３１ｂ，４１ｂが閉姿勢を採るときの閉鎖角度Ａ２は、基準面Ｆと第２水平フラップ３１ｂ，４１ｂとで形成できる物理的限界の角度である可動角度以下であり、かつ、可動角度−１０°以上の範囲内の角度であればよく、本実施形態では、閉鎖角度Ａ２を可動角度と等しい６０°としている。さらに、第２水平フラップ３１ｂ，４１ｂが閉姿勢を採る場合には、所定の間隔をあけて上下に対向する第２水平フラップ３１ｂ同士の間、及び、第２水平フラップ４１ｂ同士の間には、図１１に示すように、隙間が形成される。
【００４０】
また、制御部６０は、リモートコントローラ８０から送信される各種制御信号を受け付ける。リモートコントローラ８０は、空調室内機１０の運転内容をユーザが指示するための入力装置であって、電源のオン・オフ、冷房及び暖房の切替、温度設定、風量調整、及び、風向設定等の制御内容の入力を受け付けて、各入力に対応する制御信号を制御部６０へと送信する。例えば、リモートコントローラ８０は、ユーザからの水平フラップ３１，４１の風向設定に関する運転モードの指示を受け付けることができる。
【００４１】
そして、制御部６０は、水平フラップ３１，４１の風向設定に関する複数の運転モードを有しており、ユーザからのリモートコントローラ８０を介した指示に基づいて所定の運転モードを実行する。複数の運転モードには、正面吹き運転モード、下吹き運転モード、上吹き運転モード、スポット下吹き運転モード（第１運転モード）、及び、スポット上吹き運転モード（第２運転モード）、が含まれる。
【００４２】
正面吹き運転モード、下吹き運転モード及び上吹き運転モードが実行されると、第１水平フラップ３１ａ，４１ａ及び第２水平フラップ３１ｂ，４１ｂが同じ姿勢を採り、その姿勢が維持される。なお、正面吹き運転モード、下吹き運転モード及び上吹き運転モードでは、第１フラップ群３２，４２及び第２フラップ群３３，４３が開状態となる。具体的には、正面吹き運転モードでは、図７に示すように、第１水平フラップ３１ａ，４１ａ及び第２水平フラップ３１ｂ，４１ｂが正面吹き姿勢を採る。下吹き運転モードでは、図８に示すように、第１水平フラップ３１ａ，４１ａ及び第２水平フラップ３１ｂ，４１ｂが下吹き姿勢を採る。上吹き運転モードでは、図９に示すように、第１水平フラップ３１ａ，４１ａ及び第２水平フラップ３１ｂ，４１ｂが上吹き姿勢を採る。
【００４３】
一方で、スポット下吹き運転モード及びスポット上吹き運転モードが実行されると、第１水平フラップ３１ａ，４１ａと第２水平フラップ３１ｂ，４１ｂとが異なる姿勢を採り、その姿勢が維持される。なお、スポット下吹き運転モードでは、第１フラップ群３２，４２が閉状態となり、第２フラップ群３３，４３が開状態となる。具体的には、スポット下吹き運転モードでは、図１０に示すように、第１水平フラップ３１ａ，４１ａが閉姿勢を採り、第２水平フラップ３１ｂ，４１ｂが下吹き姿勢を採る。また、スポット上吹き運転モードでは、第１フラップ群３２，４２が開状態となり、第２フラップ群３３，４３が閉状態となる。具体的には、スポット上吹き運転モードでは、図１１に示すように、第１水平フラップ３１ａ，４１ａが上吹き姿勢を採り、第２水平フラップ３１ｂ，４１ｂが閉姿勢を採る。
【００４４】
なお、本実施形態では、ユーザからのリモートコントローラ８０を介した風向設定指示がない場合には、制御部６０は、暖房運転時にはデフォルトとして設定されているスポット下吹き運転モードを実行し、冷房運転時にはデフォルトとして設定されているスポット上吹き運転モードを実行する。
【００４５】
また、本実施形態では、第１フラップ群３２，４２が開状態である場合、第１水平フラップ３１ａ，４１ａでは所定の姿勢が維持されており、第２フラップ群３３，４３が開状態である場合、第２水平フラップ３１ｂ，４１ｂでは所定の姿勢が維持されているが、可動範囲内で連続的に水平フラップ３１，４１の姿勢を変化させる動作、すなわち、水平フラップ３１，４１を上下にスイングさせるスイング動作を実行可能であれば、制御部６０が、第１フラップ群３２，４２が開状態である場合に第１水平フラップ３１ａ，４１ａにスイング動作を実行させてもよく、第２フラップ群３３，４３が開状態である場合に第２水平フラップ３１ｂ，４１ｂにスイング動作を実行させてもよい。
【００４６】
（３）各種運転モード実行時における吹出口からの空気の流れ
ファン１２が回転すると、室内の空気が、右側吸込口２３ａ及び左側吸込口２３ｂからケーシング２０内に取り込まれる。そして、取り込まれた空気は、ファン１２の回転により、ファン１２の上方へと送られて室内熱交換器１１を通り、右側吹出口２２ａ及び左側吹出口２２ｂから室内へと吹き出す。このとき、水平フラップ部３０，４０によって右側吹出口２２ａ及び左側吹出口２２ｂから吹き出される空気の上下方向の風向きを変更することができ、垂直フラップ部５０によって右側吹出口２２ａ及び左側吹出口２２ｂから吹き出される空気の左右方向の風向きを変更することができる。
【００４７】
そして、この空調室内機１０では、水平フラップ３１，４１の風向設定に関する運転モードとして、複数の運転モードがあるため、ユーザは所望の風向きとなるように水平フラップ３１，４１の向きを設定することができる。
【００４８】
例えば、正面吹き運転モードに設定された場合には、全ての水平フラップ３１，４１が、すなわち、第１フラップ群３２，４２に属する第１水平フラップ３１ａ，４１ａ及び第２フラップ群３３，４３に属する第２水平フラップ３１ｂ，４１ｂが正面吹き姿勢を採ることで、右側吹出口２２ａ及び左側吹出口２２ｂから空気が前側（正面側）に吹き出される（図７参照）。下吹き運転モードに設定された場合には、全ての水平フラップ３１，４１が、すなわち、第１フラップ群３２，４２に属する第１水平フラップ３１ａ，４１ａ及び第２フラップ群３３，４３に属する第２水平フラップ３１ｂ，４１ｂが下吹き姿勢を採ることで、右側吹出口２２ａ及び左側吹出口２２ｂから空気が下向きに吹き出される（図８参照）。上吹き運転モードに設定された場合には、全ての水平フラップ３１，４１が、すなわち、第１フラップ群３２，４２に属する第１水平フラップ３１ａ，４１ａ及び第２フラップ群３３，４３に属する第２水平フラップ３１ｂ，４１ｂが上吹き姿勢を採ることで、右側吹出口２２ａ及び左側吹出口２２ｂから空気が上向きに吹き出される（図９参照）。
【００４９】
また、スポット下吹き運転モードに設定された場合には、第１フラップ群３２，４２に属する第１水平フラップ３１ａ，４１ａが閉姿勢を採り、第２フラップ群３３，４３に属する第２水平フラップ３１ｂ，４１ｂが下吹き姿勢を採ることで、右側吹出口２２ａ及び左側吹出口２２ｂにおいて第２水平フラップ３１ｂ，４１ｂが位置する部分である下半分から下向きに空気が吹き出されるとともに、閉姿勢を採る第１水平フラップ３１ａ同士の間に形成された隙間、及び、第１水平フラップ４１ａ同士の間に形成された隙間から、第１水平フラップ３１ａ，４１ａの延びる方向に、すなわち、斜め下方に空気が漏れ流れる（図１０参照）。
【００５０】
さらに、スポット上吹き運転モードに設定された場合には、第１フラップ群３２，４２に属する第１水平フラップ３１ａ，４１ａが上吹き姿勢を採り、第２フラップ群３３，４３に属する第２水平フラップ３１ｂ，４１ｂが閉姿勢を採ることで、右側吹出口２２ａ及び左側吹出口２２ｂにおいて第１水平フラップ３１ａ，４１ａが位置する部分である上半分から上向きに空気が吹き出されるとともに、閉姿勢を採る第２水平フラップ３１ｂ同士の間に形成された隙間、及び、第２水平フラップ４１ｂ同士の間に形成された隙間から、第２水平フラップ３１ｂ，４１ｂの延びる方向に、すなわち、斜め上方に空気が漏れ流れる（図１１参照）。
【００５１】
（４）特徴
（４−１）
本実施形態では、スポット下吹き運転モードが実行されて、第１フラップ群３２，４２に属する第１水平フラップ３１ａ，４１ａが閉姿勢を採り、第２フラップ群３３，４３に属する第２水平フラップ３１ｂ，４１ｂが下吹き姿勢を採ることで、右側吹出口２２ａ及び左側吹出口２２ｂから暖気が吹き出されても、暖気が室内の下方に届きやすくなり、室内全体の温度が上がりやすくなる。
【００５２】
これによって、室内の快適性が損なわれるおそれを低減することができている。
【００５３】
（４−２）
本実施形態では、スポット下吹き運転モードが実行されることで、閉姿勢を採る第１水平フラップ３１ａ同士の隙間、及び、閉姿勢を採る第１水平フラップ４１ａ同士の隙間から斜め下方向に空気が流れるため、第１水平フラップ３１ａ同士、及び、第１水平フラップ４１ａ同士の間に隙間が形成されない場合と比較して、空気をより下方に流すことができている。
【００５４】
（４−３）
本実施形態では、スポット上吹き運転モードが実行されることで、閉姿勢を採る第２水平フラップ３１ｂ同士の隙間、及び、閉姿勢を採る第２水平フラップ４１ｂ同士の隙間から斜め上方向に空気が流れるため、第２水平フラップ３１ｂ同士、及び、第２水平フラップ４１ｂ同士の間に隙間が形成されない場合と比較して、空気をより上方に流すことができている。
【００５５】
（４−４）
本実施形態では、暖房運転時に、ユーザから風向設定指示がない場合にはスポット下吹き運転モードが実行される。暖房運転時にスポット下吹き運転モードが実行されることで、暖気が床方向に向かうため、暖気を足元に届きやすくすることができ、室内全体の温度が上がりやすくなる。
【００５６】
また、冷房運転時に、ユーザから風向設定指示がない場合にはスポット上吹き運転モードが実行される。冷房運転時にスポット上吹き運転モードが実行されることで、冷気が天井方向に向かうため、室内空気を攪拌することができ、室内に温度ムラが生じにくくなる。
【００５７】
（５）変形例
（５−１）変形例Ａ
上記実施形態では、ユーザからのリモートコントローラ８０を介した風向設定指示がない場合には、制御部６０は、冷房運転時に、スポット上吹き運転モードを実行している。
【００５８】
ところで、冷房運転時に、スポット下吹き運転モード又はスポット上吹き運転モードが実行されると、閉姿勢を採る第１水平フラップ３１ａ，４１ａ又は第２水平フラップ３１ｂ，４１ｂに冷気が吹き付けることで、第１水平フラップ３１ａ，４１ａ又は第２水平フラップ３１ｂ，４１ｂに結露が発生するおそれがある。
【００５９】
そこで、上記実施形態に代えて、冷房運転時には、制御部６０が、スポット上吹き運転モード及びスポット下吹き運転モードの実行を禁止してもよい。例えば、冷房運転時には、ユーザがリモートコントローラ８０上で、スポット上吹き運転モード及びスポット下吹き運転モードを選択できないようにしてもよい。このように、冷房運転時にスポット上吹き運転モード及びスポット下吹き運転モードの実行が禁止されることで、閉状態を採る第１水平フラップ３１ａ，４１ａ又は第２水平フラップ３１ｂ，４１ｂに冷気が吹き付けることがなく、この結果、第１水平フラップ３１ａ，４１ａ又は第２水平フラップ３１ｂ，４１ｂに結露が発生するおそれを低減することができる。
【００６０】
（５−２）変形例Ｂ
上記実施形態では、複数の水平フラップ３１，４１が、上下方向に２つのグループに分かれているが、２以上のグループに分かれていればよく、例えば、４つのグループに分かれていてもよい。
【００６１】
（５−３）変形例Ｃ
上記実施形態では、吹出口２２として、２つの吹出口（右側吹出口２２ａ及び左側吹出口２２ｂ）が前面部２１に設けられているが、吹出口２２は１つ以上設けられていればよく、例えば、吹出口２２が前面部２１の上部中央に１つだけ設けられていてもよい。
【００６２】
（５−４）変形例Ｄ
上記実施形態では、右側垂直フラップ５１ａは、空調室内機１０の上面視において右回りに回転して右側吹出口２２ａを開いているが、左回りに回転して右側吹出口２２ａを開いてもよい。また、上記実施形態では、左側垂直フラップ５１ｂは、空調室内機１０の上面視において左回りに回転して左側吹出口２２ｂを開いているが、右回りに回転して左側吹出口２２ｂを開いてもよい。
【００６３】
さらに、上記実施形態では、垂直フラップ５１は、回転することで吹出口２２を開いているが、回転移動に限られず他の態様で移動することによって吹出口２２を開いてもよい。
【００６４】
（５−５）変形例Ｅ
上記実施形態では、スポット下吹き運転モードでは、第１水平フラップ３１ａ，４１ａが閉姿勢を採り、第２水平フラップ３１ｂ，４１ｂが下吹き姿勢を採っているが、スポット下吹き運転モードにおいて、第２水平フラップ３１ｂ，４１ｂが正面吹き姿勢を採っていてもよい。
【００６５】
また、上記実施形態では、スポット上吹き運転モードでは、第１水平フラップ３１ａ，４１ａが上吹き姿勢を採り、第２水平フラップ３１ｂ，４１ｂが閉姿勢を採っているが、スポット上吹き運転モードにおいて、第１水平フラップ３１ａ，４１ａが正面吹き姿勢を採っていてもよい。
【産業上の利用可能性】
【００６６】
本発明は、室内の快適性が損なわれるおそれを低減することができるという効果を有し、床置き型の空調室内機として有用である。
【符号の説明】
【００６７】
１０      空調室内機
２０      ケーシング
２２ａ    右側吹出口（吹出口）
３１      水平フラップ（フラップ）
３１ａ    第１水平フラップ（第１フラップ）
３１ｂ    第２水平フラップ（第２フラップ）
３２      第１フラップ群
３３      第２フラップ群
３４      第１フラップ駆動機構
３７      第２フラップ駆動機構
６０      制御部
【先行技術文献】
【特許文献】
【００６８】
【特許文献１】特開２００２−３１０４９４号公報
【図１】
2014040975.tif 000003
【図２】
2014040975.tif 000004
【図３】
2014040975.tif 000005
【図４】
2014040975.tif 000006
【図５】
2014040975.tif 000007
【図６】
2014040975.tif 000008
【図７】
2014040975.tif 000009
【図８】
2014040975.tif 000010
【図９】
2014040975.tif 000011
【図１０】
2014040975.tif 000012
【図１１】
2014040975.tif 000013